【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
符号化されたビデオデータのビットストリームを受信することと、
複数のサブビットストリーム抽出モードからサブビットストリーム抽出モードを選択することと、ここにおいて、前記サブビットストリーム抽出モードの各々は、ターゲット出力ビューまたはターゲット出力レイヤの復号を可能にするために、前記ビットストリームからビューまたはレイヤからのコーディングされたピクチャを抽出する方法を定義し、ここにおいて、各コーディングされたピクチャは、アクセスユニット内のビューまたはレイヤの１つまたは複数のビデオコーディングレイヤネットワークアブストラクションレイヤ（ＶＣＬ  ＮＡＬ）ユニットを備え、ここにおいて、ビューまたはレイヤにおける前記コーディングされたピクチャのうちの１つまたは複数は、別のビューまたはレイヤにおけるピクチャによってインター予測される、
前記ビットストリームから、前記選択されたサブビットストリーム抽出モードによって定義された前記方法でサブビットストリームを抽出することと
を備える方法。
【請求項２】
ビューの各コーディングされたピクチャは、ビューコンポーネント、テクスチャビューコンポーネント、および深度ビューコンポーネントのうちの１つを備える、請求項１に記載の方法。
【請求項３】
サブビットストリーム抽出モードを選択することは、自己完全サブビットストリーム抽出モードを選択することを備え、前記サブビットストリームを抽出することは、前記選択されたサブビットストリーム抽出モードが前記自己完全サブビットストリーム抽出モードであるときに、前記ターゲット出力ビューを復号するために前記ビューのテクスチャビューまたは深度ビューが必要とされる場合に、前記ビューのすべての利用可能なテクスチャビューコンポーネントと深度ビューコンポーネントとを抽出することを備える、請求項２に記載の方法。
【請求項４】
サブビットストリーム抽出モードを選択することは、中間的サブビットストリーム抽出モードを選択することを備え、前記サブビットストリームを抽出することは、前記選択されたサブビットストリーム抽出モードが前記中間的サブビットストリーム抽出モードであるときに、
前記ビューのすべての利用可能なテクスチャビューコンポーネントを、前記ターゲット出力ビューを復号するために前記ビューの前記テクスチャビューが必要とされる場合に、抽出し、前記ビューの深度ビューコンポーネントを、前記ターゲット出力ビューを復号するために前記ビューの前記深度ビューが必要とされない場合に、抽出しないこと、および
前記ターゲット出力ビューを復号するために前記ビューの前記深度ビューが必要とされる場合に、前記ビューのすべての利用可能な深度ビューコンポーネントを抽出し、前記ターゲット出力ビューを復号するために前記ビューの前記テクスチャビューが必要とされない場合に、前記ビューのテクスチャビューコンポーネントを抽出しないこと、のうちの１つを備える、請求項２に記載の方法。
【請求項５】
前記ビューから抽出されるべきテクスチャビューのリストを維持することと、
前記ビューから抽出されるべき深度ビューの別個のリストを維持することと
をさらに備え、
テクスチャビューの前記リストは、少なくとも１つのビューのテクスチャビューを含み、深度ビューの前記リストは、前記少なくとも１つのビューの対応する深度ビューを含まないか、または深度ビューの前記リストは、前記少なくとも１つのビューの深度ビューを含み、テクスチャビューの前記リストは、前記少なくとも１つのビューの対応するテクスチャビューを含まず、
すべての利用可能なテクスチャビューコンポーネントを抽出し、深度ビューコンポーネントを抽出しないことは、
テクスチャビューの前記リストで識別されるテクスチャビューにテクスチャビューコンポーネントが属するかどうかを判断することと、
テクスチャビューの前記リストで識別される前記テクスチャビューに前記テクスチャビューコンポーネントが属する場合のみ、前記テクスチャビューコンポーネントを抽出することと、
前記テクスチャビューコンポーネントに対応する深度ビューコンポーネントを抽出するのを、深度ビューの前記リストで識別されない深度ビューに前記深度ビューコンポーネントが属する場合に回避することと
を備え、
すべての利用可能な深度ビューコンポーネントを抽出し、テクスチャビューコンポーネントを抽出しないことは、
深度ビューの前記リストで識別される深度ビューに深度ビューコンポーネントが属するかどうかを判断することと、
深度ビューの前記リストで識別される前記深度ビューに前記深度ビューコンポーネントが属する場合のみ、前記深度ビューコンポーネントを抽出することと、
前記深度ビューコンポーネントに対応するテクスチャビューコンポーネントを抽出するのを、テクスチャビューの前記リストで識別されないテクスチャビューに前記テクスチャビューコンポーネントが属する場合に回避することと
を備える、請求項４に記載の方法。
【請求項６】
サブビットストリーム抽出モードを選択することは、最適サブビットストリーム抽出モードを選択することを備え、前記サブビットストリームを抽出することは、前記選択されたサブビットストリーム抽出モードが前記最適サブビットストリーム抽出モードであるときに、前記ターゲット出力ビューを復号するために必要とされるビューのテクスチャビューコンポーネントおよび深度ビューコンポーネントのみを抽出し、前記ターゲット出力ビューを復号するために必要とされない前記ビューのテクスチャビューコンポーネントおよび深度ビューコンポーネントを抽出しないことを備える、請求項２に記載の方法。
【請求項７】
サブビットストリーム抽出モードを選択することは、自己完全サブビットストリーム抽出モードを選択することを備え、前記サブビットストリームを抽出することは、前記選択されたサブビットストリーム抽出モードが前記自己完全サブビットストリーム抽出モードであるときに、前記ターゲット出力ビューまたはレイヤを復号するために必要とされる前記ビューまたはレイヤからのすべてのコーディングされたピクチャを抽出することを備える、請求項１に記載の方法。
【請求項８】
サブビットストリーム抽出モードを選択することは、最適サブビットストリーム抽出モードを選択することを備え、前記サブビットストリームを抽出することは、前記選択されたサブビットストリーム抽出モードが前記最適サブビットストリーム抽出モードであるときに、前記ターゲット出力ビューを復号するために必要とされる前記ビューまたはレイヤからのコーディングされたピクチャのみを抽出し、前記ターゲット出力ビューを復号するために必要とされない前記ビューまたはレイヤからのコーディングされたピクチャを抽出しないことを備える、請求項１に記載の方法。
【請求項９】
前記サブビットストリーム抽出モードを選択することは、外部手段により、前記サブビットストリーム抽出モードを受信することを備え、前記外部手段は、ビデオデコーダの外部にあるユニットを備え、前記外部手段は、１つまたは複数の変数を設定し、各変数は、サブビットストリーム抽出モードを定義し、前記外部手段は、前記ビデオデコーダによって前記サブビットストリームを復号するために使用され、入力として前記ビデオデコーダに提供される値を前記１つまたは複数の変数から選択する、請求項１に記載の方法。
【請求項１０】
前記選択されたサブビットストリーム抽出モードが、テクスチャビューコンポーネントのためのビューリストと深度ビューコンポーネントのための別個のビューリストの維持を必要とするかどうか判断することと、適切な１つまたは複数のビューリストを維持することとをさらに備える、請求項１に記載の方法。
【請求項１１】
ビデオデータを処理するためのデバイスの１つまたは複数のプロセッサによって実行されたときに、前記１つまたは複数のプロセッサに、請求項１から請求項１０のうちの何れかの方法を実行させる、命令を記憶した非一時的コンピュータ可読記憶媒体。
【請求項１２】
ビデオデータを処理するためのデバイスであって、
符号化されたビデオデータのビットストリームを受信するための手段と、
複数のサブビットストリーム抽出モードからサブビットストリーム抽出モードを選択するための手段と、ここにおいて、前記サブビットストリーム抽出モードの各々は、ターゲット出力ビューまたはターゲット出力レイヤの復号を可能にするために、前記ビットストリームからビューまたはレイヤからのコーディングされたピクチャを抽出する方法を定義し、ここにおいて、各コーディングされたピクチャは、アクセスユニット内のビューまたはレイヤの１つまたは複数のビデオコーディングレイヤネットワークアブストラクションレイヤ（ＶＣＬ  ＮＡＬ）ユニットを備え、ここにおいて、ビューまたはレイヤにおける前記コーディングされたピクチャのうちの１つまたは複数は、別のビューまたはレイヤにおけるピクチャによってインター予測される、
前記ビットストリームから、前記選択されたサブビットストリーム抽出モードによって定義された前記方法でサブビットストリームを抽出するための手段と
を備えるデバイス。
【請求項１３】
ビューの各コーディングされたピクチャは、ビューコンポーネント、テクスチャビューコンポーネント、および深度ビューコンポーネントのうちの１つを備え、ここにおいて、前記デバイスは、前記選択されたサブビットストリーム抽出モードが、テクスチャビューコンポーネントのためのビューリストと深度ビューコンポーネントのための別個のビューリストとの維持を必要とするかどうか判断するための手段と、適切な１つまたは複数のビューリストを維持するための手段とをさらに備える、請求項１２に記載のデバイス。
【請求項１４】
サブビットストリーム抽出モードを選択するための前記手段は、自己完全サブビットストリーム抽出モードを選択するための手段を備え、前記サブビットストリームを抽出するための前記手段は、前記選択されたサブビットストリーム抽出モードが前記自己完全サブビットストリーム抽出モードであるときに、前記ターゲット出力ビューまたはレイヤを復号するために必要とされる前記ビューまたはレイヤからのすべてのコーディングされたピクチャを抽出するための手段を備える、請求項１２に記載のデバイス。
【請求項１５】
サブビットストリーム抽出モードを選択するための前記手段は、最適サブビットストリーム抽出モードを選択するための手段を備え、前記サブビットストリームを抽出するための前記手段は、前記選択されたサブビットストリーム抽出モードが前記最適サブビットストリーム抽出モードであるときに、前記ターゲット出力ビューを復号するために必要とされる前記ビューまたはレイヤからのコーディングされたピクチャのみを抽出し、前記ターゲット出力ビューを復号するために必要とされない前記ビューまたはレイヤからのコーディングされたピクチャを抽出しないための手段を備える、請求項１２に記載のデバイス。